(57)【要約】【課題】動力伝達装置に入力される振動に応じて、動力伝達装置を好適に作動させる。【解決手段】フライホイール組立体１では、第２フライホイール５（第２フライホイール本体３７及びイナーシャ部３８）が第１フライホイール４に対して相対回転している状態において、第２フライホイール本体３７に入力されるトルク変動が、所定のトルク変動に到達すると、第２フライホイール本体３７は第１フライホイール４に対して相対回転し、イナーシャ部３８は第２フライホイール本体３７に対して相対回転する。【選択図】図１
2018123943.tif 000002
【特許請求の範囲】
【請求項１】
エンジンからトルクが入力される入力側回転部と、
前記入力側回転部に対して相対回転可能に構成される第１回転体と、前記第１回転体と一体回転可能に構成され且つ所定のトルク変動以上において前記第１回転体に対して相対回転可能に構成される第２回転体とを、有する出力側回転部と、
前記入力側回転部及び前記出力側回転部を弾性的に連結するダンパ部と、
を備える動力伝達装置。
【請求項２】
所定の前記トルク変動未満において前記第１回転体及び前記第２回転体を一体回転可能に保持する保持部、
をさらに備える請求項１に記載の動力伝達装置。
【請求項３】
前記保持部は、所定の前記トルク変動以上において前記第１回転体及び前記第２回転体の保持を解放する、
をさらに備える請求項２に記載の動力伝達装置。
【請求項４】
前記第２回転体は、前記保持部を介して、前記第１回転体に設けられる、
をさらに備える請求項２又は３に記載の動力伝達装置。
【請求項５】
前記第２回転体は、所定の前記トルク変動以上において、前記第１回転体に対して前記第１回転体の回転方向に回転する、
請求項１から４のいずれか１項に記載の動力伝達装置。
【請求項６】
前記ダンパ部は、前記入力側回転部及び前記第１回転体を弾性的に連結する、
請求項１から５のいずれか１項に記載の動力伝達装置。
【発明の詳細な説明】
【技術分野】
【０００１】
本発明は、動力伝達装置に関する。
【背景技術】
【０００２】
動力伝達装置、例えばフライホイール組立体は、第１フライホイル（入力側回転部）と、第２フライホイール（出力側回転部）と、ダンパ機構（ダンパ部）とを、備えている。第１フライホイールには、エンジンからのトルクが入力される。第２フライホイールは、第１フライホイールに対して相対回転可能に構成されている。ダンパ機構は、第１フライホイールから第２フライホイールへとトルクを伝達する。
【先行技術文献】
【特許文献】
【０００３】
【特許文献１】特開２０１３−１６７３１２号公報
【発明の概要】
【発明が解決しようとする課題】
【０００４】
従来のフライホイール組立体では、フライホイール組立体の作動時に、フライホイール組立体の振動系が共振領域に近づくと、第１フライホイールに対する第２フライホイールの捩り角度の変動成分が、大きくなる。ここで、第１フライホイールに対する第２フライホイールの捩り角度の平均成分が大きい場合に、上述した捩り角度の変動成分が重なると、フライホイール組立体において十分に振動を低減できないおそれがある。
【０００５】
本発明は、上記の問題に鑑みてなされたものであって、本発明の目的は、動力伝達装置に入力される振動に応じて、動力伝達装置を好適に作動させることにある。
【課題を解決するための手段】
【０００６】
（１）本発明の一側面に係る動力伝達装置は、入力側回転部と、出力側回転部と、ダンパ部とを、備える。入力側回転部には、エンジンからトルクが入力される。出力側回転部は、第１回転体と、第２回転体とを、有する。第１回転体は、入力側回転部に対して相対回転可能に構成される。第２回転体は、第１回転体と一体回転可能に構成され、且つ所定のトルク変動以上において第１回転体に対して相対回転可能に構成される。ダンパ部は、入力側回転部及び出力側回転部を弾性的に連結する。
【０００７】
本動力伝達装置では、出力側回転部（第１回転体及び第２回転体）が入力側回転部に対して相対回転している状態において、第１回転体に入力されるトルク変動が所定のトルク変動に到達すると、第１回転体は入力側回転部と相対回転し、第２回転体は第１回転体に対して相対回転する。
【０００８】
すなわち、上記のトルク変動が所定のトルク変動に到達した場合、第１回転体は入力側回転部に対して相対回転し、第２回転体は第１回転体に対して相対回転する。このように、本動力伝達装置では、所定のトルク変動の前後において、動力伝達装置の振動系を変化させることができる。これにより、動力伝達装置に入力される振動に応じて、動力伝達装置を好適に作動させることにある。
【０００９】
（２）本発明の別の側面に係る動力伝達装置は、保持部をさらに備える。保持部は、所定のトルク変動未満において、第１回転体及び第２回転体を一体回転可能に保持することが好ましい。
【００１０】
この場合、所定のトルク変動未満において、第１回転体及び第２回転体を保持部によって好適に一体回転させることができる。これにより、所定のトルク変動未満において、出力側回転部（第１回転体及び第２回転体）を入力側回転部に対して安定的に相対回転させることができる。
【００１１】
（３）本発明の別の側面に係る動力伝達装置では、保持部が、所定のトルク変動以上において、第１回転体及び第２回転体の保持を解放することが好ましい。
【００１２】
この場合、所定のトルク変動以上において、第２回転体を第１回転体に対して好適に相対回転させることができる。
【００１３】
（４）本発明の別の側面に係る動力伝達装置では、第２回転体が、保持部を介して、第１回転体に設けられることが好ましい。この構成によって、所定のトルク変動未満において第２回転体を第１回転体と好適に一体回転させることができ、所定のトルク変動以上において第２回転体を第１回転体に対して好適に相対回転させることができる。
【００１４】
（５）本発明の別の側面に係る動力伝達装置では、第２回転体が、所定のトルク変動以上において、第１回転体に対して第１回転体の回転方向に回転することが好ましい。この構成によって、第２回転体を第１回転体に対してスムーズに相対回転させることができる。
【００１５】
（６）本発明の別の側面に係る動力伝達装置では、ダンパ部が、入力側回転部及び第１回転体を弾性的に連結することが好ましい。この構成によって、トルクを入力側回転部から第１回転体へと好適に伝達し、且つ第２回転体を第１回転体に対して好適に相対回転させることができる。
【発明の効果】
【００１６】
本発明によれば、動力伝達装置に入力される振動に応じて、動力伝達装置を好適に作動させることができる。
【図面の簡単な説明】
【００１７】
【図１】第１実施形態に係るフライホイール組立体を模式的に示した断面図。
【図２】第２実施形態に係るダンパ装置を模式的に示した断面図。
【図３】第２実施形態の変形例に係るダンパ装置を模式的に示した断面図。
【発明を実施するための形態】
【００１８】
＜第１実施形態＞
図１は、本発明の一実施形態によるフライホイール組立体１を模式的に表現した断面図である。フライホイール組立体１は、クランクシャフト２からのトルクを、クラッチ装置５０を介して、トランスミッションに伝達する。フライホイール組立体１は、第１フライホイール４（入力側回転部の一例）と、第２フライホイール５（出力側回転部の一例）と、ダンパ構造６（ダンパ部の一例）と、保持構造８（保持部の一例）とを、備えている。なお、図１では、エンジンは左側に配置され、トランスミッションは右側に配置されている。
【００１９】
［第１フライホイール］
第１フライホイール４には、エンジンからトルクが入力される。詳細には、第１フライホイール４は、エンジン側のクランクシャフト２からのトルクが入力される。図１に示すように、第１フライホイール４は、固定手段例えば固定ボルトによって、クランクシャフト２に固定されている。
【００２０】
第１フライホイール４は、第１プレート２１と、第２プレート２２と、を有している。第１プレート２１は、第１プレート本体２４と、複数の第１ダンパ収納部２５とを、有している。
【００２１】
第１プレート本体２４は、実質的に環状に形成されている。第１プレート本体２４の内周部は、クランクシャフト２の位置決め用突出部２ａの外周面に、当接している。これにより、第１プレート本体２４は、クランクシャフト２によって、径方向に位置決めされる。
【００２２】
複数の第１ダンパ収納部２５それぞれは、第１プレート２１の外周部に設けられている。詳細には、複数の第１ダンパ収納部２５それぞれは、回転軸芯Ｏまわりの周方向において所定の間隔を隔てて、第１プレート２１の外周部に設けられている。
【００２３】
第２プレート２２は、第２プレート本体３０と、複数の第２ダンパ収納部３１と、内側筒状部３２と、を有している。
【００２４】
第２プレート本体３０は、実質的に環状に形成されている。第２プレート本体３０の外周部は、第１プレート２１の外周部に形成された外側筒状部２１ａ及び第１ダンパ収納部２５の外周部２５ａに、固定されている。第２プレート本体３０は、軸方向において、第１プレート本体２４に対向して配置される。
【００２５】
複数の第２ダンパ収納部３１それぞれは、軸方向において、複数の第１ダンパ収納部２５それぞれに対向して配置される。詳細には、複数の第２ダンパ収納部３１それぞれは、周方向において所定の間隔を隔てて設けられ、複数の第１ダンパ収納部２５それぞれに対向して配置される。
【００２６】
ここで、第１ダンパ収納部２５及び第２ダンパ収納部３１の軸方向幅が、第１プレート本体２４及び第２プレート本体３０の軸方向幅より、幅広になるように、第１ダンパ収納部２５及び第２ダンパ収納部３１は形成されている。第１ダンパ収納部２５及び第２ダンパ収納部３１によって形成された収容空間には、ダンパ構造６が収容される。
【００２７】
［第２フライホイール］
図１に示すように、第２フライホイール５は、第２フライホイール本体３７（第１回転体の一例）と、イナーシャ部３８（第２回転体の一例）とを、有している。
【００２８】
第２フライホイール本体３７は、第１フライホイール４に対して相対回転可能に構成されている。第２フライホイール本体３７は、軸受９を介して、クランクシャフト２に固定されたセンタボス３に、回転可能に支持されている。
【００２９】
第２フライホイール本体３７には、係合部３９と、複数の凹部４０と、当接面４１とが、設けれている。係合部３９は、環状部３９ａと、複数の第１伝達部３９ｂとを、有している。環状部３９ａは、ダンパ構造６の径方向内側に配置される。
【００３０】
複数の第１伝達部３９ｂそれぞれは、第１フライホイール４からダンパ構造６に伝達されたトルクを、ダンパ構造６から受け取る部分である。複数の第１伝達部３９ｂそれぞれは、環状部３９ａの外周部に設けられている。詳細には、複数の第１伝達部３９ｂそれぞれは、周方向において所定の間隔を隔てて、環状部３９ａの外周部に設けられている。
【００３１】
また、複数の第１伝達部３９ｂそれぞれは、環状部３９ａから径方向外側に延び、上記の収容空間に配置される。そして、複数の第１伝達部３９ｂそれぞれは、ダンパ構造６において周方向に隣接したスプリングシート４３の間に、配置される。
【００３２】
複数の凹部４０それぞれは、周方向に間隔を隔てて、第２フライホイール本体３７の外周部に設けられている。複数の凹部４０それぞれは、イナーシャ部３８に向けて開口している。
【００３３】
当接面４１は、後述するクラッチ装置５０におけるクッショニングプレート５２の摩擦部材５２ａが当接する面である。詳細には、クッショニングプレート５２の摩擦部材５２ａが当接面４１に当接することによって、フライホイール組立体１からクラッチ装置５０にトルクが伝達される。一方で、クッショニングプレート５２の摩擦部材５２ａが当接面４１から離反することによって、フライホイール組立体１からクラッチ装置５０へのトルクの伝達が解除される。
【００３４】
イナーシャ部３８は、第２フライホイール本体３７に対して相対回転可能に構成される。また、イナーシャ部３８は、第２フライホイール５に入力されるトルク変動（入力トルク変動）が所定のトルク変動以上になると、第２フライホイール本体３７に対して相対回転可能に構成される。なお、トルク変動という文言は、回転速度変動に伴うトルク変動という意味も含んでいる。
【００３５】
例えば、イナーシャ部３８は、実質的に環状に形成されている。イナーシャ部３８は、第２フライホイール本体３７の外周部に配置されている。イナーシャ部３８は、入力トルク変動が所定のトルク変動未満において、保持構造８によって保持されている。
【００３６】
一方で、イナーシャ部３８は、入力トルク変動が所定のトルク変動以上において、保持構造８による保持が解放され、第２フライホイール本体３７に対して相対回転する。詳細には、イナーシャ部３８は、入力トルク変動が所定のトルク変動以上において、保持構造８による保持が解放され、第２フライホイール本体３７の回転方向と同じ回転方向に回転する。
【００３７】
［ダンパ構造］
ダンパ構造６は、第１フライホイール４と第２フライホイール５とを弾性的に連結し、第１フライホイール４から第２フライホイール５へとトルクを伝達する。図１に示すように、ダンパ構造６は、複数の第１トーションスプリング４２と、複数のスプリングシート４３とを、有している。
【００３８】
複数の第１トーションスプリング４２それぞれは、上記の収容空間に配置される。複数のスプリングシート４３それぞれは、複数の第１トーションスプリング４２それぞれの両端部に配置される。また、各第１トーションスプリング４２の両端部に配置されたスプリングシート４３も、上記の収容空間に配置される。
【００３９】
各スプリングシート４３には、第１フライホイール４における、第１プレート２１の第１プレート本体２４と第２プレート２２の第２プレート本体３０とが、当接する。また、各スプリングシート４３には、第２フライホイール５における各第１伝達部３９ｂが、当接する。
【００４０】
この状態で、第１フライホイール４及び第２フライホイール５が互いに相対回転すると、第１フライホイール４（第１プレート本体２４及び第２プレート本体３０）に入力されたトルクが、一方のスプリングシート４３を介して、各第１トーションスプリング４２に伝達される。そして、各第１トーションスプリング４２に伝達されたトルクは、他方のスプリングシート４３を介して、第２フライホイール５（各第１伝達部３９ｂ）に伝達される。
【００４１】
［保持構造］
保持構造８は、第２フライホイール本体３７及びイナーシャ部３８を一体回転可能に保持する。一方で、保持構造８は、入力トルク変動が所定のトルク変動以上において、第２フライホイール本体３７及びイナーシャ部３８の保持を解放する。
【００４２】
図１に示すように、保持構造８は、第１保持プレート４４と、第２保持プレート４５と、コーンスプリング４６と、上述した第２フライホイール本体３７の複数の凹部４０とから、構成されている。
【００４３】
第１保持プレート４４は、第２フライホイール本体３７と一体回転可能に構成されている。ここでは、例えば、第１保持プレート４４は、実質的に環状に形成されている。第１保持プレート４４は、固定手段例えばボルトによって、第２フライホイール本体３７に固定されている。
【００４４】
第２保持プレート４５は、第２フライホイール本体３７と一体回転可能に構成されている。第２保持プレート４５は、軸方向において、第１保持プレート４４と間隔を隔てて配置される。例えば、第２保持プレート４５は、断面がＬ字形状に形成された環状の部材である。第２保持プレート４５には、複数の凸部４５ａが設けられている。複数の凸部４５ａそれぞれは、第２保持プレート４５の内周部に設けられ、軸方向に突出している。
【００４５】
複数の凸部４５ａそれぞれは、周方向に間隔を隔てて設けられている。複数の凸部４５ａそれぞれは、第２フライホイール本体３７の複数の凹部４０に各別に配置される。これにより、第２保持プレート４５は、第２フライホイール本体３７と一体回転可能、且つ軸方向に移動可能になる。
【００４６】
コーンスプリング４６は、軸方向において、第２保持プレート４５と、第２フライホイール本体３７において複数の凹部４０が形成された部分との間に、配置される。詳細には、コーンスプリング４６は、軸方向において、第２保持プレート４５と複数の凹部４０の開口側の端面との間に、配置される。この状態において、コーンスプリング４６の内周部は複数の凹部４０の端面に当接し、コーンスプリング４６の外周部は第２保持プレート４５に当接している。
【００４７】
これにより、イナーシャ部３８は、コーンスプリング４６を介して、第１保持プレート４４及び第２保持プレート４５によって挟持される。詳細には、イナーシャ部３８は、入力トルク変動が所定のトルク変動未満である場合、コーンスプリング４６を介して、第１保持プレート４４及び第２保持プレート４５によって挟持される。すなわち、この場合、イナーシャ部３８は、保持構造８を介して、第２フライホイール本体３７と一体回転する。
【００４８】
一方で、入力トルク変動が所定のトルク変動以上である場合、保持構造８によるイナーシャ部３８の挟持が、解放される。詳細には、入力トルク変動が所定のトルク変動以上になると、イナーシャ部３８に作用する回転方向の慣性力が、保持構造８（第１保持プレート４４及び第２保持プレート４５）及びイナーシャ部３８との間の保持力例えば摩擦力より、大きくなる。すると、イナーシャ部３８は、第２フライホイール本体３７の回転方向に向けて、第１保持プレート４４及び第２保持プレート４５に対して摺動する。すなわち、この場合、イナーシャ部３８は、第２フライホイール本体３７に対して相対回転する。
【００４９】
［クラッチ装置］
クラッチ装置５０は、フライホイール組立体１からトランスミッション側の部材１０にトルクを伝達し、且つフライホイール組立体１からトランスミッション側の部材１０へのトルクの伝達を解除する。
【００５０】
図１に示すように、クラッチ装置５０は、クラッチカバー５１と、クッショニングプレート５２と、１対のクラッチ用プレート５３と、プレッシャープレート５４と、ダイアフラムスプリング５５と、出力ハブ５６と、複数の第２トーションスプリング５７とを、有している。
【００５１】
クラッチカバー５１は、フライホイール組立体１に装着される。ここでは、クラッチカバー５１は、固定手段例えばボルト（図示しない）によって、フライホイール組立体１の第２フライホイール本体３７に固定されている。
【００５２】
クッショニングプレート５２には、フライホイール組立体１からのトルクが入力される。クッショニングプレート５２は、実質的に環状に形成されている。クッショニングプレート５２は、第２フライホイール本体３７に対向して配置される。詳細には、クッショニングプレート５２は、第２フライホイール本体３７の当接面４１に対向して配置される。クッショニングプレート５２の両面には、摩擦部材５２ａが装着されている。クッショニングプレート５２は、１対のクラッチ用プレート５３の一方に一体回転可能に固定されている。
【００５３】
１対のクラッチ用プレート５３それぞれは、実質的に環状に形成されており、軸方向に対向して配置されている。詳細には、１対のクラッチ用プレート５３は、軸方向において、互いに間隔を隔てて配置されている。１対のクラッチ用プレート５３は、固定手段例えばリベット（図示しない）によって、互いに固定されている。
【００５４】
プレッシャープレート５４は、摩擦部材５２ａが装着されたクッショニングプレート５２を、押圧する。プレッシャープレート５４は、実質的に環状に形成されている。プレッシャープレート５４は、軸方向において、クッショニングプレート５２及びダイアフラムスプリング５５の間に配置されている。プレッシャープレート５４は、ダイアフラムスプリング５５によって、第２フライホイール本体３７の当接面４１に向けて付勢されている。
【００５５】
ダイアフラムスプリング５５は、プレッシャープレート５４を押圧する。ダイアフラムスプリング５５の外周部は、軸方向において、プレッシャープレート５４及びクラッチカバー５１の間に配置されている。ダイアフラムスプリング５５の内周部は、図示しない押圧部材によって押圧される。ダイアフラムスプリング５５の中央部は、クラッチカバー５１に支持されている。
【００５６】
出力ハブ５６は、トランスミッション側の部材１０に一体回転可能に装着されている。例えば、出力ハブ５６のボス部５６ａが、トランスミッション側の部材１０にスプライン係合によって一体回転可能に装着されている。出力ハブ５６のフランジ部５６ｂは、軸方向において、１対のクラッチ用プレート５３の間に配置されている。
【００５７】
フランジ部５６ｂの外周部には、複数の第２トーションスプリング５７に各別に係合する複数の第２伝達部５６ｃが、設けられている。複数の第２伝達部５６ｃそれぞれは、周方向に間隔を隔てて、フランジ部５６ｂから径方向外側に突出している。
【００５８】
複数の第２トーションスプリング５７は、１対のクラッチ用プレート５３及び出力ハブ５６とを弾性的に連結する。詳細には、複数の第２トーションスプリング５７それぞれは、周方向に隣接する第２伝達部５６ｃの間に配置される。また、複数の第２トーションスプリング５７それぞれは、１対のクラッチ用プレート５３それぞれの窓部５３ａに配置される。
【００５９】
上記のクラッチ装置５０では、プレッシャープレート５４がダイアフラムスプリング５５によって押圧されると、クッショニングプレート５２の摩擦部材５２ａが第２フライホイール本体３７の当接面４１に当接する。これにより、フライホイール組立体１からクラッチ装置５０にトルクが伝達される。これが、クラッチ装置５０がオンの状態である。
【００６０】
一方で、ダイアフラムスプリング５５に対する押圧力が解除されると、クッショニングプレート５２の摩擦部材５２ａが当接面４１から離反する。これにより、フライホイール組立体１からクラッチ装置５０へのトルクの伝達が解除される。これが、クラッチ装置５０がオフの状態である。
【００６１】
［フライホイール組立体の動作］
クラッチ装置５０がオンである状態において、エンジンのトルクがフライホイール組立体１に入力されると、このトルクが、ダンパ構造６を介して、第１フライホイール４から第２フライホイール５に伝達される。
【００６２】
ここで、第２フライホイール５（例えば第２フライホイール本体３７）に入力される入力トルク変動が、所定のトルク変動未満である場合、第２フライホイール本体３７及びイナーシャ部３８は、保持構造８に保持された状態で、第１フライホイール４に対して相対回転する。一方で、入力トルク変動が所定のトルク変動以上である場合、保持構造８によるイナーシャ部３８の挟持が解放され、イナーシャ部３８は、第２フライホイール本体３７に対して相対回転する。
【００６３】
以上のフライホイール組立体１では、入力トルク変動が所定のトルク変動に到達した場合、第２フライホイール本体３７は第１フライホイール４に対して相対回転し、イナーシャ部３８は第２フライホイール本体３７に対して相対回転する。このように、本フライホイール組立体１では、所定のトルク変動の前後において、フライホイール組立体１の振動系を変化させることができる。これにより、フライホイール組立体１に入力される振動に応じて、フライホイール組立体１を好適に作動させることができる。
【００６４】
＜第２実施形態＞
前記第１実施形態では、フライホイール組立体１において、入力トルク変動が所定のトルク変動に到達した場合、第２フライホイール本体３７が、第１フライホイール４に対して相対回転し、イナーシャ部３８が第２フライホイール本体３７に対して相対回転する場合の例を、示した。
【００６５】
この構成に代えて、本発明を、図２に示すようなダンパ装置１０１（動力伝達装置の一例）に、適用してもよい。ここでは、本発明を実現する上で、本発明の特徴的な構成を詳細に説明し、その他の構成は簡単に説明する。
【００６６】
ダンパ装置１０１は、エンジン側のクランクシャフト２からのトルクを、トランスミッションに伝達する。ダンパ装置１０１は、入力側回転部１１０と、出力側回転部１１１と、ダンパ部１１２と、保持構造１１８（保持部の一例）とを、備えている。
【００６７】
入力側回転部１１０には、エンジン側のクランクシャフト２からのトルクが入力される。入力側回転部１１０は、固定手段例えば固定ボルトによって、クランクシャフト２に固定されている。入力側回転部１１０には、ダンパ部１１２に各別に係合する複数の第３伝達部１１０ａが、設けられている。
【００６８】
出力側回転部１１１は、入力側回転部１１０に対して相対回転可能に構成されている。出力側回転部１１１は、第１から第３出力側プレート１１３，１１４，１１５（第１回転体の一例）と、イナーシャ部１３８（第２回転体の一例）とを、有している。
【００６９】
第１から第３出力側プレート１１３，１１４，１１５は、入力側回転部１１０に対して相対回転可能に構成されている。
【００７０】
第１出力側プレート１１３及び第２出力側プレート１１４は、軸方向において対向して配置されている。第３出力側プレート１１５は、ボス部１１５ａと、プレート本体１１５ｂとを、有している。ボス部１１５ａは、係合手段例えばスプライン係合によって、トランスミッション側の部材１０に一体回転可能に装着されている。プレート本体１１５ｂは、ボス部１１５ａの外周面から径方向外側に延びている。プレート本体１１５ｂの外周部には、複数の孔部１１５ｃが形成されている。プレート本体１１５ｂの外周端には、外側筒状部１１５ｄが形成されている。プレート本体１１５ｂの内周部には、第１出力側プレート１１３及び第２出力側プレート１１４が、固定手段例えばボルトによって固定されている。
【００７１】
イナーシャ部１３８は、保持構造１１８を介して、第３出力側プレート１１５と一体回転可能に構成されている。また、イナーシャ部１３８は、第１から第３出力側プレート１１３，１１４，１１５に入力された入力トルク変動が所定のトルク変動以上である場合、第１から第３出力側プレート１１３，１１４，１１５に対して相対回転可能に構成されている。
【００７２】
詳細には、第１から第３出力側プレート１１３，１１４，１１５に入力された入力トルク変動が所定のトルク変動以上である場合、イナーシャ部１３８は、保持構造１１８による保持が解放され、第１から第３出力側プレート１１３，１１４，１１５の回転方向と同じ方向に、相対回転する。
【００７３】
ダンパ部１１２は、入力側回転部１１０及び出力側回転部１１１を弾性的に連結する。ダンパ部１１２は、複数の第３トーションスプリング１１９を、有している。複数の第３トーションスプリング１１９それぞれは、入力側回転部１１０における周方向に隣接した第３伝達部１１０ａの間に、配置される。また、複数の第３トーションスプリング１１９それぞれは、出力側回転部１１１（第１及び第２出力側プレート１１３，１１４）に設けられた複数の窓部１１３ａ，１１４ａに、配置される。
【００７４】
保持構造１１８は、第１保持プレート１２０と、第２保持プレート１２１と、コーンスプリング１２２と、上述した第３出力側プレート１１５の複数の孔部１１５ｃとから、構成されている。
【００７５】
第１保持プレート１２０は、固定手段例えば溶接によって、第３出力側プレート１１５の外側筒状部１１５ｄに固定される。第１保持プレート１２０、第３出力側プレート１１５の外側筒状部１１５ｄ、及び第３出力側プレート１１５の外周部によって囲まれた空間には、イナーシャ部１３８が配置されている。
【００７６】
第２保持プレート１２１は、第３出力側プレート１１５と一体回転可能に構成されている。第２保持プレート１２１は、軸方向において、第１保持プレート１２０と対向して配置される。第２保持プレート１２１には、複数の凸部１２１ａが設けられている。複数の凸部１２１ａは、第３出力側プレート１１５の複数の孔部１１５ｃに、各別に配置される。コーンスプリング１２２は、軸方向において、第２保持プレート１２１と第３出力側プレート１１５（プレート本体１１５ｂ）の外周部との間に配置される。
【００７７】
このようにダンパ装置１０１を構成しても、入力トルク変動が所定のトルク変動以上である場合、保持構造１１８によるイナーシャ部１３８の保持が解放され、イナーシャ部１３８は第１から第３出力側プレート１１３，１１４，１１５に対して相対回転する。これにより、所定のトルク変動の前後において、ダンパ装置１０１の振動系を変化させることができる。すなわち、ダンパ装置１０１に入力される振動に応じて、ダンパ装置１０１を好適に作動させることにある。
【００７８】
＜変形例＞
ここに示す実施形態は、前記第２実施形態の変形例である。前記第２実施形態では、出力側回転部１１１が第１から第３出力側プレート１１３，１１４，１１５を有する場合の例を示した。
【００７９】
この変形例では、図３に示すように、ダンパ装置２０１において、入力側回転部２１０が第１及び第２入力側プレート２１１，２１２を有し、出力側回転部２１１が第４及び第５出力側プレート２１３，２１４を有する。
【００８０】
この場合、第１及び第２入力側プレート２１１，２１２は、一体回転可能に構成されている。第１及び第２入力側プレート２１１，２１２には、複数の窓部２１１ａ，２１２ａが形成されている。ダンパ部２１５における複数の第４トーションスプリング２１６それぞれは、複数の窓部２１１ａ，２１２ａに配置される。
【００８１】
第４出力側プレート２１３は、ボス部２１３ａと、プレート本体２１３ｂとを、有する。ボス部２１３ａは、係合手段例えばスプライン係合によって、トランスミッション側の部材１０に一体回転可能に装着されている。プレート本体２１３ｂは、ボス部２１３ａの外周面から径方向外側に延びている。プレート本体２１３ｂの外周部には、複数の第４伝達部２１３ｃが周方向に間隔を隔てて形成されている。複数の第４伝達部２１３ｃにおいて周方向に隣接した第４伝達部２１３ｃの間には、複数の第４トーションスプリング２１６それぞれが配置される。
【００８２】
第５出力側プレート２１４は、前記第２実施形態における第３出力側プレート１１５のプレート本体１１５ｂの構成と実質的に同じである。また、イナーシャ部２３８（第２回転体の一例）、及び保持構造２１８（保持部の一例）の構成は、前記第２実施形態の構成と実質的に同じである。このため、ここでは、説明を省略し、前記第２実施形態と同じ符号を付している。
【００８３】
このようにダンパ装置２０１を構成しても、入力トルク変動が所定のトルク変動以上である場合、保持構造２１８によるイナーシャ部２３８の保持が解放され、イナーシャ部２３８は第４及び第５出力側プレート２１３，２１４に対して相対回転する。これにより、所定のトルク変動の前後において、ダンパ装置２０１の振動系を変化させることができる。すなわち、ダンパ装置２０１に入力される振動に応じて、ダンパ装置２０１を好適に作動させることにある。
【００８４】
＜他の実施形態＞
本発明はかかる実施形態に限定されるものではなく、本発明の範囲を逸脱することなく種々の変形および修正が可能である。
【００８５】
（Ａ）前記第１及び第２実施形態（変形例を含む）では、フライホイール組立体１及びダンパ装置１０１，２０１を用いて、本発明の構成が説明された。本発明の構成は、前記第１及び第２実施形態（変形例を含む）に限定されず、動力伝達装置であればどのような構成にも適用できる。
【００８６】
（Ｂ）前記第１及び第２実施形態（変形例を含む）では、フライホイール組立体１及びダンパ装置１０１，２０１を用いて、本発明の構成が説明された。フライホイール組立体１及びダンパ装置１０１，２０１の基本構成は、本発明の範囲を逸脱しなければ、前記第１及び第２実施形態（変形例を含む）に限定されず、どのように構成してもよい。
【符号の説明】
【００８７】
１  フライホイール組立体
４  第１フライホイール
５  第２フライホイール
６  ダンパ構造
８  保持構造
３７  第２フライホイール本体
３８  イナーシャ部
【図１】
2018123943.tif 000003
【図２】
2018123943.tif 000004
【図３】
2018123943.tif 000005